(57)【要約】【課題】  一方と他方の二枚一組で円周形状にスライドさせて開閉する本体の扇ぎ葉の面どうしを、同じ面を向けたまま開閉できる簡易紙扇子を提供する。【解決手段】  幹面を中央にして、該幹面の横辺へ回転域を介して扇ぎ葉を延設し、該幹面だけを反転させて背方へ裏返すことで扇ぎ葉どうしは正面を向いた状態で開き状態になり、該回転域を反転させて背方へ裏返すと扇ぎ葉どうしの略全体が重なり合うので閉じ状態になり、該回転域は下に位置する支点を起点とする二本の放射線で挟んで天地に細長い扇形状にすることで、双方の扇ぎ葉どうしは円周形状にスライドして開閉する。【選択図】  図１
2014210169.tif 000002
【特許請求の範囲】
【請求項１】
少なくても二枚の扇ぎ葉を設け、該扇ぎ葉どうしの間へ幹面を設け、該幹面と該扇ぎ葉との間に回転域を設け、該回転域は下に位置する支点を基点とする上広がりの扇形状を成しており、該回転域と該幹面との境界折線を開折線とし、該回転域と該扇ぎ葉との境界折線を閉折線とし、該閉折線の上端を合点とし、該合点から上に位置する該扇ぎ葉の縁を該幹面方向へ膨出させ、前記の膨出領域を重合域としたことを特徴とする簡易紙扇子。
【発明の詳細な説明】
【技術分野】
【０００１】
本発明は、厚紙を素材に用いて、該厚紙を切り抜いて折り曲げ、組み込むことで扇子として利用できるようにした紙扇子に関する物である。
【背景技術】
【０００２】
従来の紙扇子は、複数の扇ぎ葉の基部折線を折り返すことで同じ面どうしを向かい合わせて折り重ね、該基部折り線は基点を中心にした放射線形状の畳み折線とずらし折線で挟んで回転面を形成し、該回転面は角度の小さい扇形状を成しており、該回転面が表裏で交互に反転することで扇ぎ葉どうしを扇子同様に開閉する構造の物であった。
【先行技術文献】
【特許文献】
【０００３】
【特許文献１】実開平７−４３９４８号
【発明の概要】
【発明が解決しようとする課題】
【０００４】
従来の技術は、同じ面どうしを向かい合わせて折り重ねる構造なので、扇状に開いて一方面から見た場合、表裏が隣り合って同じ方向の面となっているので表裏で一つの連結した画面を形成しなければならず、色合いや画面のズレを両面印刷で合わせるのは技術的に非常に困難であるという問題点があった。本発明では前記のような問題の解決を課題にする。
【課題を解決するための手段】
【０００５】
幹面を中心にし、該幹面の横辺の各々を一方と他方の開折線とし、該開折線を介して回転域を延設し、該回転域の外（幹面から遠い方を外とする）横辺へ閉折線を介して扇ぎ葉を延設し、該回転域は下に位置する支点を基点とする上広がりの扇形状を成して、該支点から離れた方に位置する該閉折線の上端点を合点とし、該合点から上の該扇ぎ葉を該幹面方向へ膨出させて重合域を形成し、一方と他方の扇ぎ葉は左右の略線対称形状にして設ける。
【発明の効果】
【０００６】
一方の開折線を谷折し、他方の開折線を山折することで幹面だけが反転して裏向くので、扇ぎ葉どうしは同じ表向き状態で合点どうしが接して開き状態になり、重合域の重なりを入れ替えることで開き状態が固定される。前記開き固定状態を解除して、閉折線への屈折に移行することで回転域は反転して背方への裏向き状態になるので、双方の扇ぎ葉どうし全体は同じ表向き状態で重なって、本体を閉じ状態にすることができる。
【図面の簡単な説明】
【０００７】
【図１】展開正面図である。（実施例１）
【図２】開き状態組立過程正面斜視図である。
【図３】開き状態組立完了要部透視正面斜視図である。
【図４】閉じ状態要部透視正面斜視図である。
【図５】展開状態正面図である。（実施例２）
【図６】組立過程要部透視正面斜視図である。
【発明を実施するための形態】
【０００８】
一方の開折線を谷折して他方の開折線を山折することで幹面だけが反転するので、同じ方向を向く扇ぎ葉どうしで開き状態を形成でき、該開折線の屈折を閉折線に移行することで回転域が反転し、該回転域の反転によって扇ぎ葉どうし全体を同じ方向で重ねて閉じ状態にできることを実現した。
【実施例１】
【０００９】
図１は展開正面図である。本体１を形成する素材は人工樹脂であるプラスチックであっても良いが、再生利用できて環境負荷を軽減できる素材として厚紙であることが望ましく、前記厚紙の厚みや硬さは限定ではなく、官製ハガキ程度の厚みと硬さがあれば充分であり、官製ハガキよりも分厚くて硬い厚紙であっても良い。
【００１０】
図面の表示方法を述べるならば、実線は切線、破線は透し線、一点鎖線は折線とし、符合の引き出し線は実線ではあるが線を細くすることで切線と区別する。前記折線の折り曲げ方向は限定でなくても良く、使用者が自由に変更できるが、特許内容を明瞭に説明するために折り曲げ方向を明記することにし、谷折と山折で表示される折り曲げ方向は正面からを基準にして述べることにする。左右方向を横方向とし、天地方向を縦方向或いは上下方向とし、正面背面方向を前後方向とする。
【００１１】
同じ符号の箇所が左右で二箇所ある場合は、展開状態での左側を一方とし右側を他方とする。一方と他方を区別するための符号であるａとｂは図面では括弧閉じにして（ａ）（ｂ）で表示することにし、前記（ａ）（ｂ）を省く場合は一方と他方の総称符号とする。
【００１２】
本体１の展開状態を述べるならば、中央に縦長略（ほぼ）矩形の幹面２を設け、該幹面２は略矩形であることから横辺である開折線３は左右で二本有しており、該開折線３の左側を一方の開折線３ａとし、右側を他方の開折線３ｂとする。
【００１３】
開折線３を介して回転域４を延設するのであるが、該回転域４は一箇所であっても良いが一方の回転域４ａと他方の回転域４ｂの二箇所で設けることが望ましく、以降は望ましいとする二箇所の回転域４で述べることにする。幹面２から谷折線にした一方の開折線３ａを介して一方の回転域４ａを延設し、該一方の回転域４ａの外（幹面２を中心に位置付けているので幹面２から遠い方を外にする）横辺を谷折線にした一方の閉折線５ａを介して一方の扇ぎ葉６ａを延設する。
【００１４】
一方の回転域４ａは下に位置する一方の支点７ａを起点とする扇形状を成していることが望ましく、該支点７ａは一方の開折線３ａと一方の閉折線５ａとの線上の交点であるが、該一方の開折線３ａと一方の閉折線５ａとの下端は接するのではなくて２から３ミリメートルほどの隙間８ａを空けることが望ましく、該隙間８ａの役割は素材である厚紙が折れ曲げ劣化で破れるのを防止する他にトムソンで打ち抜くための木型を作る場合に必要となる刃の厚みに対応させるための隙間でもある。
【００１５】
幹面２は縦長矩形であることから一方の開折線３ａは垂直な谷折線であることが望ましく、一方の回転域４ａは天方向へ少しだけ広がる扇形状であることから一方の閉折線５ａの天端を外側である一方の方へ傾けるのであり、一方の回転域４ａの天縁の長さは該幹面２の天縁の半分の長さにすることが望ましく、該一方の回転域４ａの天縁は水平であることが望ましく、一方の閉折線５ａの天端を一方の合点９ａとし、該一方の合点９ａから上に位置する一方の扇ぎ葉６ａの領域を一方の閉折線５ａの上方への延長線上よりも内側（幹面方向）へ膨出させ、前記の膨出領域を一方の重合域１０ａとし、二枚で有している扇ぎ葉６どうしを合わせた形状は限定ではなくて自由にデザイン化された形状であっても良いが、該扇ぎ葉６双方の連結形状をハート型にするならば、該一方の扇ぎ葉６ａの形状はハート型の半分形状を基本としており、該一方の扇ぎ葉６ａの形状は該一方の重合域１０ａを合わせると略勾玉形状になることが望ましい。
【００１６】
幹面２から山折線にした他方の開折線３ｂを介して他方の回転域４ｂを延設し、該他方の回転域４ｂの外（幹面を中心に位置付けているので幹面から遠い方を外にする）横辺を山折線にした他方の閉折線５ｂを介して他方の扇ぎ葉６ｂを延設する。
【００１７】
他方の回転域４ｂは下に位置する他方の支点７ｂを起点とする扇形状を成していることが望ましく、該支点７ｂは他方の開折線３ｂと他方の閉折線５ｂとの線上の交点であるが、該他方の開折線３ｂと他方の閉折線５ｂとの下端は接するのではなくて２から３ミリメートルほどの隙間８ｂを空けることが望ましく、該隙間８ｂの役割は素材である厚紙が折れ曲げ劣化で破れるのを防止する他にトムソンで打ち抜くための木型を作る場合に必要となる刃の厚みに対応させるための隙間でもある。
【００１８】
幹面２は縦長矩形であることから他方の開折線３ｂは垂直な山折線であることが望ましく、他方の回転域４ｂは天方向へ少しだけ広がる扇形状であることから他方の閉折線５ｂの天端を外側である他方の方へ傾けるのであり、他方の回転域４ｂの天縁の長さは該幹面２の天縁の半分の長さにすることが望ましく、該他方の回転域４ｂの天縁は水平であることが望ましく、他方の閉折線５ｂの天端を他方の合点９ｂとし、該他方の合点９ｂから上に位置する他方の扇ぎ葉６ｂの領域を他方の閉折線５ｂの上方への延長線上よりも内側（幹面方向）へ膨出させ、前記の膨出領域を他方の重合域１０ｂとし、二枚で有している扇ぎ葉６どうしを合わせた形状は限定ではなくて自由にデザイン化された形状であっても良いが、該扇ぎ葉６双方の連結形状をハート型にするならば、該他方の扇ぎ葉６ａの形状はハート型の半分形状を基本としており、該他方の扇ぎ葉６ｂの形状は該他方の重合域１０ｂを合わせると略勾玉形状になることが望ましい。
【００１９】
図２は開き状態組立過程正面斜視図である。一方の開折線３ａを谷折し、他方の開折線３ｂを山折することで幹面２だけが反転し、該幹面２の反転によって一方の合点９ａと他方の合点９ｂとが互いに近付き、閉折線５は折れ曲がっていないことで回転域４と扇ぎ葉６とは一つの面となっている状態で双方の合点９どうしが近付き、該合点９どうしが接した状態で本体１は開き状態になるのであり、該合点９どうしが接すると一方の重合域１０ａの正面に他方の重合域１０ｂが重なり、一方の扇ぎ葉６ａと他方の扇ぎ葉６ｂとで本体１の連結形状はハート形状になる。
【００２０】
図３は開き状態組立完了要部透視正面斜視図である。一方の開折線３ａを谷折し、他方の開折線３ｂを山折することで、一方の合点９ａと他方の合点９ｂとが接して本体１全体はハート型の開き状態になり、重なり合った重合域１０の重なりを前後で入れ替えて正面へ一方の重合域１０ａを出し背面へ他方の重合域１０ｂを隠すことで合点９の箇所で噛み合って固定されるので、本体１をハート型の開き状態で固定できる。
【００２１】
合点９どうしが互いに噛み合って固定されているので、開き状態の本体１全体は一枚の板状になっているので、扇いでも部分的に剥がれる恐れは無くなる。
【００２２】
開き状態の本体１を手の平で挟んで持って扇ぐのであり、持つ場所は限定ではなくて使用者が自由に選べば良いのであるが、望ましい持ち場所を述べるならば開き状態の本体１の下部を持つのが望ましく、本体１の下部を持って扇げば幹面２が補強の役割を果たすことができ、該幹面２の領域は三枚重ねになっているので、三倍の補強能力を発揮している。
【００２３】
本体１の開き状態の固定は合点９どうしの噛み合わせによって固定できるが、本体１の閉じ状態を固定できる箇所を設けても良く、前記閉じ状態の固定をするために扇ぎ葉６の頂部へ切込１１を設けることが望ましい。
【００２４】
切込１１の形状は限定ではなく、半円形であっても良いが、先が曲がったＪ字形状であることが望ましく、該切込１１の曲がり方向は一方と他方で逆方向にするのであり、一方の扇ぎ葉６ａ頂部に有する一方の切込１１ａは左側に曲がったＪ字形状にし、他方の扇ぎ葉６ｂ頂部に有する他方の切込１１ｂは右側に曲がったし字形状にするのが望ましい。
【００２５】
本体１の閉じ過程を述べるならば、一方の重合域１０ａを背部へ戻し、他方の重合域１０ｂを正面へ戻すことで合点９どうしの噛み合わせが解除されて本体１の開き状態の固定が解除される。前記の固定解除によって扇ぎ葉６どうしは自由に移動できるようになり、開折線３の屈折から閉折線５の屈折に移し変える（移行する）ことで回転域４が背方へ反転して裏向きになり、該回転域４の背方への反転によって支点７を中心とする円周形状で扇ぎ葉６の頂部が中心方向へ回転移動し、扇ぎ葉６の頂部に有する切込１１どうしが近付いて本体１は閉じ方向へ移行する。
【００２６】
図４は閉じ状態要部透視正面斜視図である。開折線３は本体１を開き状態にする時に屈折させる折線であり、該開折線３の屈折が閉折線５に移行することで回転域４が反転して背方へ向く事で本体１は閉じ状態になり、該閉折線５屈折させると回転域４は反転して裏返るので、該反転域４の双方は扇ぎ葉６の双方に挟まれているので、中に隠れていて外からは見えない状態になっているので透視を意味する破線で図示している。
【００２７】
本体１の閉じ状態の形状は限定ではなくて自由にデザイン化された形状であっても良いが、機能的で望ましい閉じ形状を述べるならば上部縁が円形になった縦長の扇形であり、何かに例えるならばゴンドラが吊り下がっている気球を真横から見た形状にも似ている。
【００２８】
扇ぎ葉６の頂部は、本体１の閉じ状態を基準にしており、本体１の閉じ状態で一方の切込１１ａと他方の切込１１ｂとを組込合わせて、双方の切込１１の曲がった先端どうしが接する箇所で組込は固定される。
【００２９】
本体１の閉じ状態は安定していて、切込１１が無くても不用意に広がる恐れは少なく、閉折線５は屈折状態を保持できるのであるが、本体１の閉じ状態で扇ぐ場合も考慮し、扇ぎ葉６の頂部を該切込１１によって固定することで、本体１の閉じ状態で扇いでも該扇ぎ葉６の頂部どうしが離れてパタつくことを防止できる。
【実施例２】
【００３０】
図５は展開状態正面図である。実施例１ではハート形状の扇ぎ部１２だけで構成されていて、該扇ぎ部１２を構成している各箇所は実施例１と殆ど同じか類似形状なので符号と名称も援用することにする。実施例２では該扇ぎ部１２を持ち易くすると共に閉じ状態を固定するための収納箇所としても使える鞘部１３を新たに設けることにし、該鞘部１３は該扇ぎ部１２を閉じた状態で部分的に収納できる機能も備えている。
【００３１】
実施例２で新たに追加された鞘部１３の設け方を述べるならば、中心部に位置する幹面２を下へ延長し、前記の延長領域を芯域１４とし、該幹面２と該芯域１４との間は境界線の無い同一面であるが、前記両者の境界箇所を述べるならば回転域４の下端に設けられた隙間８から下を芯域１４とする。
【００３２】
芯域１４の上部は幹面２と同幅の平行線であることが望ましく、支点７から下は少しずつ狭くなる縦長の扇形状にすることが望ましく、該芯域１４を縦に細長い扇形状にしたことで、該芯域１４を芯にして巻く鞘部１３の巻形状を縦長の扇形状にすることができる。
【００３３】
芯域１４の下端部に水平な折線で折上げ線１５を設け、該折上げ線１５を介して天地を逆にした鞘部１３を延設する。実施例２では該折上げ線１５の箇所を基部とし、該鞘部１３の位置関係を示す場合で前記基部から離れた方を先とする。該折上げ線１５を山折で袋折することで該鞘部１３は背方へ折上げられて該鞘部１３の先は上になり、該鞘部１３の先を上にした状態で該芯域１４を芯にして巻いて鞘形状（両側が平行でない形状）の筒にし、鞘形状の筒になった該鞘部１３を柄として使用する。
【００３４】
鞘部１３を芯域１４に巻いて鞘形状の筒にするために、該鞘部１３の略中心へ中鞘面１６を設け、該中鞘面１６は先へ少しだけ広がる縦長の細い扇形状を成していることが望ましく、該中鞘面１６の一方の横辺に山折線のａ折線２４を介してａ鞘面１７を延設し、該ａ鞘面１７の中心線上に切溝１８を設ける。該中鞘面１６の他方の横辺に山折線のｂ折線１９を介してｂ鞘面２０を延設し、該ｂ鞘面２０の横幅は該中鞘面１６の略半分であることが望ましく、該ｂ鞘面２０の他方横辺へ山折線の差込折線２２を介して差込片２３を延設し、該差込折線２２の先と隣接する該差込片２３の先角を先方向へ少しだけ突出させて突起２６を形成することが望ましい。
【００３５】
図６は組立過程要部透視正面斜視図である。実施例１では幹面２を反転させて扇ぎ部１２を組み立てていたが、実施例２では幹面２を反転させるのではなくて扇ぎ葉６を折り返して反転させる組立過程で表示するのであり、該扇ぎ葉６の双方は裏を向くが、同じ面どうしを連結させる構造であることに変わりがない。
【００３６】
縦長矩形である幹面２の一方の横辺とする左側の開折線３ａを谷折にして一方の回転域４ａと一方の扇ぎ葉６ａとを背方へ折り返して裏向け状態にし、該幹面２の他方の横辺とする右側の開折線３ｂを山折にして他方の回転域４ｂ（図５で表示）と他方の扇ぎ葉６ｂとを背方へ折り返して裏向け状態にすることで、一方の合点９ａと他方の合点９ｂとが隣接して扇ぎ部１２は開き状態になり、前記開き状態で他方の重合域１０ｂの正面へ一方の重合域１０ａが重なった状態では前記開き状態は固定されておらず、該重合域１０双方の重なりを前後で入れ替えることで合点９の双方が噛み合って固定するのであり、具体的に述べるならば、他方の重合域１０ｂの背面へ一方の重合域１０ａが重なった状態に移行させることで該合点９の双方が噛み合って扇ぎ部１２の開き状態が固定される。
【００３７】
折上げ線１５を山折して折上げることで鞘部１３の先が上になって芯域１４と重なった位置関係になり、該折上げ線１５は該鞘部１３を折返して上げるだけの働きであるが、三つ折されて鞘形状の筒になった該鞘部１３を昇降させて閉じ状態の扇ぎ部１２の下部を部分的に収納して閉じ状態の固定をする必要があり、前記の昇降させる機能を実現するために該折上げ線１５の上へ水平折線の昇降折線２５を山折線で入れることが望ましく、該昇降折線２５は一本であっても良いが中間ステップを設けた二段階で昇降させる構造である方がスムーズに行えるので該昇降折線２５を二本で設けることが望ましく、二本以上の本数であっても良く、該昇降折線２５の間隔は等間隔であっても良いが、該折上げ線１５へ近い方の間隔を狭くすることが望ましい。
【００３８】
芯域１４の下部が縦に細長い扇形状になっているので、該芯域１４の背面へ折り重ねられる中鞘面１６を縦に細長い扇形状にでき、該芯域１４の下部領域の扇状横辺を外側へ平行に移動して拡大させた横辺で該中鞘面１６を形成したことで、該芯域１４を芯にして余裕を持った横幅で鞘部１３を三つ折状態で巻くことができる。
【００３９】
鞘部１３は背方へ折り返されていることから正面の面が背方へ向いているので、山折と谷折で表示する折り曲げ方向は背面方向からを基準にして述べることになり、該鞘部１３を三つ折状態で巻いて行く過程を述べるならば、中鞘面１６の一方の横辺であるａ折線２４を山折して芯域１４の正面へ折り重ね、中鞘面１６の他方の横辺であるｂ折線１９を山折してａ鞘面１７の正面へ折り重ねて該鞘部１３を三つ折の筒形状にし、ａ鞘面１７の中心に有している切溝１８へｂ鞘面２０の外横辺に延設されている差込片２３を差込むことで該鞘部１３の三つ折筒形状を固定する。
【００４０】
三つ折筒形状で固定された鞘部１３は柄の働きを成しているので本体２１をうちわ同様に該鞘部１３を握って扇ぐことができ、昇降折線２５を設けたことにより、該昇降折線２５の折り曲げで芯域１４の長さを変えることができるので扇ぎ部１２を昇降させることが可能になり、該扇ぎ部１２を上昇させた状態で該扇ぎ部１２を開いて扇ぐことができ、該扇ぎ部１２を閉じて下降させることで該扇ぎ部１２の下部領域を該鞘部１３へ部分的に収納して閉じ状態を固定できる。
【産業上の利用可能性】
【００４１】
本発明は紙素材であることから自由に印刷できるので、広告媒体としてのチラシやカタログとして使用することもできる。
【符号の説明】
【００４２】
１、２１  本体
２  幹面
３、３ａ、３ｂ  開折線
４、４ａ、４ｂ  回転域
５、５ａ、５ｂ  閉折線
６、６ａ、６ｂ  扇ぎ葉
７、７ａ、７ｂ  支点
８、８ａ、８ｂ  隙間
９、９ａ、９ｂ  合点
１０、１０ａ、１０ｂ  重合域
【図１】
2014210169.tif 000003
【図２】
2014210169.tif 000004
【図３】
2014210169.tif 000005
【図４】
2014210169.tif 000006
【図５】
2014210169.tif 000007
【図６】
2014210169.tif 000008